(57)【要約】  【課題】単一のリールを用いて旧来からの規格である大径テープを２以上の小径テープとともに有効に選択使用可能とするテープカッターを提供する。  【解決手段】リール２の軸心ｍから異なる放射方向へ等距離隔てた位置に複数の小径テープ取付部２１を設け、各々の小径テープ取付部２１に小径テープを滑動し得る状態で相互に干渉することなく同時に取り付け可能かつ個別に使用可能に構成し、また、それら複数の小径テープ取付部２１のうちリール外周側に位置する部位を大径テープ取付部２２とし、小径テープを取り付けていない状態でその大径テープ取付部２２に大径テープを取り付け可能かつ使用可能に構成することとした。  【選択図】図１
2008081221.tif 000002
【特許請求の範囲】
【請求項１】
カッター本体のリール装填部に単一のリールを軸心回りに回転可能に取り付けるようにしたものであって、
リールは、軸心から異なる放射方向へ隔てた位置に複数の小径テープ取付部を有し、各々の小径テープ取付部に小径テープを滑動し得る状態で相互に干渉することなく同時に取り付け可能として、何れの小径テープを選択してもその繰り出し部を外方に引き出し得るように構成するとともに、それら複数の小径テープ取付部のうちリール外周側に位置する部位を大径テープ取付部とし、小径テープを取り付けていない状態でその大径テープ取付部に大径テープを取り付け得るように構成したことを特徴とするテープカッター。
【請求項２】
小径テープ取付部が筒状ないし異形筒状をなし、その小径テープ取付部を包絡する円と接触する部位が大径テープ取付部として機能するようにしている請求項１記載のテープカッター。
【請求項３】
カッター本体のリール装填部に単一のリールを軸心回りに回転可能に取り付けるようにしたものであって、
リールは、軸心から異なる放射方向へ隔てた位置に複数の小径テープ取付部を有し、各々の小径テープ取付部に小径テープを滑動し得る状態で相互に干渉することなく同時に取り付け可能として、何れの小径テープを選択してもその繰り出し部を外方に引き出し得るように構成するとともに、少なくともある回転位置において２つ若しくはそれ以上の小径テープ取付部がカッター本体の上方ないしテープ引出し側の空間に一部突出した状態となり得るように構成していることを特徴とするテープカッター。
【請求項４】
リールが、軸心から放射方向に複数の腕を延ばし、その腕の先端部に小径テープ取付部を形成したものであり、小径テープを取り付けた状態で隣接する腕と腕の間から小径テープの側面の一部を表出させ得るようにしている請求項１〜３記載のテープカッター。
【請求項５】
リールが、軸心から放射方向に複数の腕を延ばし、その腕の先端部に小径テープ取付部を形成したものであり、小径テープを取り付けた状態で小径テープの一部を腕の先端部よりも放射方向に突出させ得るようにしている請求項１〜４記載のテープカッター。
【請求項６】
リールは、対をなすリール構成体同士を突き合わせて接合することにより構成されるものであって、一対のリール構成体の小径テープ取付部となる部位に同一構造の突出部を形成し、一方のリール構成体を反転させて他方のリール構成体に突き合わせた際に、何れの突出部間においても嵌合状態を得るように構成している請求項１〜５記載のテープカッター。
【請求項７】
各々の突出部に外側嵌合部および内側嵌合部を形成し、反転して突き合わせた際に各内側嵌合部が相手方の外側嵌合部の内側に嵌合するように構成している請求項６記載のテープカッター。
【請求項８】
カッター本体が軸心と直交する方向に沿ってリール装填部の両側に一対のカッターを備え、２つの小径テープ取付部に取り付けた小径テープを背向する方向に同時に引き出し得るようにしている請求項１〜７記載のテープカッター。
【請求項９】
軸心回りに回転可能に支持させて使用されるものであって、
軸心から異なる放射方向へ隔てた位置に設けた複数の小径テープ取付部と、それら複数の小径テープ取付部のリール外周側に位置する部位に構成される大径テープ取付部とを具備し、各々の小径テープ取付部に小径テープを滑動し得る状態で相互に干渉することなく同時に取り付けた際に、何れの小径テープを選択してもその繰り出し部を外方に引き出せるように構成するとともに、小径テープを取り付けていない状態でその大径テープ取付部に大径テープを取り付け得るように構成したことを特徴とするリール。
【請求項１０】
リール装填部に単一のリールを軸心回りに回転可能に取り付けるようにしたものであって、
リールは、軸心から異なる放射方向へ隔てた位置に複数の小径ロール取付部を有し、各々の小径ロール取付部に小径ロールを滑動し得る状態で相互に干渉することなく同時に取り付けた際に、何れの小径ロールからも繰り出し部を外方に引き出せるように構成するとともに、それら複数の小径ロール取付部のロール外周側に位置する部位を大径ロール取付部とし、小径ロールを取り付けていない状態でその大径ロール取付部に大径ロールを取り付け得るように構成したことを特徴とするロール保持機構。
【請求項１１】
軸心回りに回転可能に支持させて使用されるものであって、
軸心から異なる放射方向へ隔てた位置に設けた複数の小径ロール取付部と、それら複数の小径ロール取付部のロール外周側に構成される大径ロール取付部とを具備し、各々の小径ロール取付部に小径ロールを滑動し得る状態で相互に干渉することなく同時に取り付けた際に、何れの小径ロールからも繰り出し部を外方に引き出せるように構成するとともに、小径ロールを取り付けていない状態でその大径ロール取付部に大径ロールを取り付け得るように構成したことを特徴とするリール。
【発明の詳細な説明】
【技術分野】
【０００１】
本発明は、大径テープ及び複数の小径テープを好適に選択使用できるようにしたテープカッター、テープに限らないロール保持機構並びにそれらに使用するリールに関するものである。
【背景技術】
【０００２】
従来、この種のテープカッターにおいて、複数のテープの選択使用を可能にするために、大径リールの中心部に小径リールを着脱可能に嵌合し、この小径リールをテープ装填部に軸心回りに回転可能に取り付けたものが知られている。
【０００３】
このものは、大径リールと小径リールを嵌合させた状態で大径テープを使用し、大径リールを外して小径リールのみとしたときに小径テープを使用可能としたもので、大小何れのテープにも対応できるようになっている。大径リールは、実際には小径リールの外側にテーパ嵌合させてあり、何れか一方側に向かって小径リールから抜き取ることが可能とされている。
【０００４】
しかしながら、このような構成だと、部品点数が増えるだけでなく、小径テープを使用する際には大径リールは不要な部品となり、部品管理が不適切だと紛失のおそれが高い。また、大径リールを抜き取る方向が不明確なため、ユーザーに混乱を与え、無理な力を加えることにより小径リールに設けた軸等が変形するおそれもある。
【０００５】
このような不都合を解消し得るものとして、特許文献１、２に示されるもの等が存在する。
【０００６】
特許文献１に示されるものは、単一のリールに大径リール取付部及び小径リール取付部を同心状に設け、大径テープ取付部をそのままにした状態で小径テープ取付部に小径テープの取り付けを可能とし、かつ、小径テープ取付部をそのままにした状態で大径テープ取付部に大径テープの取り付けを可能として、何れの場合にも部品が分離しない構造にして部品管理を不要としている。
【０００７】
また、特許文献２に示されるものは、ケース内に複数の小径テープ取付軸を備えたリールを収容し、これらの小径テープ取付軸にそれぞれ小径テープを同時に取り付けることにより、何れかの小径テープを選択的にカッター本体外に引き出すことができるようにしたものであり、部品が分離しない構造にして部品管理を不要としている。
【特許文献１】実開昭５５−２０３４６号公報
【特許文献２】実用新案登録第３０９１７８３号公報
【発明の開示】
【発明が解決しようとする課題】
【０００８】
ところが、特許文献１のものは、小径テープと大径テープの２種類しか選択できないため、同じ径のテープを色違いや予備で取り付けたいという要望、或いは、より多種類のテープを選択使用したいという要望には応えられない。また、このものは、大径テープ使用時と小径テープ使用時とで繰り出し位置が全く異なるため、テープを引き出す際や切り取る際の角度が大きく変化し、一定の操作感の下に操作を行うことができないという難点がある。
【０００９】
一方、特許文献２のものは、大径テープを取り付ける代わりに３種類以上の小径テープを同時に取り付け可能として、テープの選択幅を拡張したものであるが、このものはリール全体がケース内に収容されていて、ケースにはテープを引き出すための側部引出開口以外に、上方から指を差し込んで内部の小径テープを触れる程度の上部開口程度しか存在しないため、使用する小径テープを変更する際にテープを巻き取ったり新たに繰り出したりする操作に不便であり、ケースを開けて作業を行うにしても面倒なものである。また、テープとなればやはり旧来からの規格である大径テープが最も一般的であり、このような大径テープが使用できないのは不利不便である。
【００１０】
本発明は、このような課題に着目してなされたものであって、旧来からの規格である大径テープを２以上の小径テープとともに選択使用可能とする態様、或いは、多数の同径テープを良好な使い勝手の下に選択使用可能とする態様を有効に実現した新規有用なテープカッター、テープに限らないロール保持機構及びそれらに使用するリール等を提供しようとするものである。
【課題を解決するための手段】
【００１１】
本発明は、かかる目的を達成するために、次のような手段を講じたものである。
【００１２】
すなわち、本発明のテープカッターは、カッター本体のリール装填部に軸心回りに回転可能に取り付けられるリールを、軸心から異なる放射方向へ隔てた位置に複数の小径テープ取付部を有し、各々の小径テープ取付部に小径テープを滑動し得る状態で相互に干渉することなく同時に取り付け可能なものとして、何れの小径テープを選択してもその繰り出し部を外方に引き出し得るように構成するとともに、それら複数の小径テープ取付部のうちリール外周側に位置する部位を大径テープ取付部とし、小径テープを取り付けていない状態でその大径テープ取付部に大径テープを取り付け得るように構成したことを特徴とする。
【００１３】
このようにすると、大径テープと小径テープを併用することができるのは勿論のこと、小径テープも複数種類を取り付けて選択利用可能としたり、予備として同一種類を複数取り付けてストックしておくことができるので、より多様な使い勝手を実現することが可能となる。また、かかる構成によると、大径テープ、小径テープともにほぼ同位置よりテープが繰り出されるので、テープを引き出す際や切り取る際の角度に大きな変化が生じることがなく、一定の操作感を保って良好な使い勝手を得ることができる。
【００１４】
この場合の好ましい実施の態様としては、小径テープ取付部が筒状ないし異形筒状をなし、その小径テープ取付部を包絡する円と接触する部位が大径テープ取付部として機能するようにしているものが挙げられる。
【００１５】
また、本発明の他の構成からなるテープカッターは、カッター本体のリール装填部に軸心回りに回転可能に取り付けられるリールを、軸心から異なる放射方向へ隔てた位置に複数の小径テープ取付部を有し、各々の小径テープ取付部に小径テープを滑動し得る状態で相互に干渉することなく同時に取り付け可能なものとして、何れの小径テープを選択してもその繰り出し部を外方に引き出し得るように構成するとともに、少なくともある回転位置において２つ若しくはそれ以上の小径テープ取付部がカッター本体の上方ないしテープ引出し側の空間に一部突出した状態となり得るように構成したことを特徴とする。
【００１６】
このようにすると、使用する小径テープを切り替える際などに、繰り出している小径テープを巻き取り、新たに小径テープを繰り出す作業を、近傍に存する他の小径テープ取付部を把持して容易に行うことができる。さらに、２つ若しくはそれ以上の小径テープ取付部に取り付けた小径テープが露出する形態は、外観において斬新な見え掛かりを呈し、それにも拘わらず利用の仕方等は一目瞭然なものとなる。
【００１７】
形態をより際立たせ、小径テープの視認性や使い勝手を容易にするためには、リールが、軸心から放射方向に複数の腕を延ばし、その腕の先端部に小径テープ取付部を形成したものであり、小径テープを取り付けた状態で隣接する腕と腕の間から小径テープの側面の一部を表出させ得るようにしておくことが効果的である。
【００１８】
同様の趣旨で、リールが、軸心から放射方向に複数の腕を延ばし、その腕の先端部に小径テープ取付部を形成したものであり、小径テープを取り付けた状態で小径テープの一部を腕の先端部よりも放射方向に突出させ得るようにしておくことも好適である。
【００１９】
嵌合場所を適切に確保し、嵌合構造の簡素化及び嵌合時の作業性の向上を図るためには、一対のリール構成体の小径テープ取付部となる部位に同一構造の突出部を形成し、一方のリール構成体を反転させて他方のリール構成体に突き合わせた際に、何れの突出部間においても嵌合状態を得られるように構成していることが望ましい。
【００２０】
具体的な実施の態様としては、各々の突出部に外側嵌合部および内側嵌合部を形成し、反転して突き合わせた際に各内側嵌合部が相手方の外側嵌合部の内側に嵌合するように構成しているものが挙げられる。
【００２１】
複数のテープの同時使用の便をより向上させるためには、カッター本体が軸心と直交する方向に沿ってリール装填部の両側に一対のカッターを備え、２つの小径テープ取付部に取り付けた小径テープを背向する方向に同時に引き出し得るようにしていることが好適である。
【００２２】
勿論、リールを、軸心から異なる放射方向へ隔てた位置に設けた複数の小径テープ取付部と、それら複数の小径テープ取付部のリール外周側に位置する部位に構成される大径テープ取付部とを具備し、各々の小径テープ取付部に小径テープを滑動し得る状態で相互に干渉することなく同時に取り付けた際に、何れの小径テープを選択してもその繰り出し部を外方に引き出せるように構成するとともに、小径テープを取り付けていない状態でその大径テープ取付部に大径テープを取り付け得るように構成しておけば、既存のリールに替えてこのリールを使用するだけで、本発明の大小テープ兼用型のテープカッターを有効に構成することができる。
【００２３】
また、テープカッター以外に、上記小径テープや大径テープと同様に単一のリールに小径ロールや大径ロールを取り付けて併用可能とするロール保持機構を構成する場合には、  リールを、軸心から異なる放射方向へ隔てた位置に複数の小径ロール取付部を有し、各々の小径ロール取付部に小径ロールを滑動し得る状態で相互に干渉することなく同時に取り付けた際に、何れの小径ロールからも繰り出し部を外方に引き出せるように構成するとともに、それら複数の小径ロール取付部のロール外周側に位置する部位を大径ロール取付部とし、小径ロールを取り付けていない状態でその大径ロール取付部に大径ロールを取り付け得るように構成することで、上記テープカッターと同様の作用効果を得ることができる。
【００２４】
この場合にも、リールを、軸心から異なる放射方向へ隔てた位置に設けた複数の小径ロール取付部と、それら複数の小径ロール取付部のロール外周側に構成される大径ロール取付部とを具備し、各々の小径ロール取付部に小径ロールを滑動し得る状態で相互に干渉することなく同時に取り付けた際に、何れの小径ロールからも繰り出し部を外方に引き出せるようにリールを構成して、小径ロールを取り付けていない状態でその大径ロール取付部に大径ロールを取り付け得るようにしておけば、既存のロール保持機構のリールにこのリールを付け替えることで、上記のロール保持機構を有効に構成することができる。
【発明の効果】
【００２５】
本発明は、以上説明した構成であるから、単一のリールを用いて大径テープや２以上の小径テープを併用できる態様や、単一のリールを用いて多数の同径テープを良好な使い勝手の下に使用できるようにした、新規有用なテープカッター及びそれに使用するリール等を提供することが可能となる。
【発明を実施するための最良の形態】
【００２６】
以下、本発明の一実施形態を、図面を参照して説明する。
【００２７】
このテープカッターは、図１に示すように、カッター本体１のリール装填部１１に複数の小径テープ取付部２１を有する単一のリール２を軸心ｍ回りに回転可能に取り付けて構成される。
【００２８】
リール２を受容するカッター本体１は、樹脂成形により、一対の側壁１ａ、１ａの間に上方及びテープ引出し側に開口する空洞Ｓを設けて、この空洞Ｓ内にリール装填部１１を構成するとともに、そのテープ引き出し側の離間位置における一対の起立壁１ｂ、１ｂ間にテープを裁断するためのカッター刃１２を設けたもので、側壁１ａと起立壁１ｂとの間に大きな凹部１ｃを形成している。リール装填部１１は、後述するリール２の軸部２ａを上方から落とし込み、落とし込んだ位置からテープ引き出し側に若干移動させるための溝１１ａが側壁１ａの内面に設けてあり、その移動端においてリール２を上方への抜脱を禁止しつつ回転可能に支持するものである。
【００２９】
一方、リール２は、図２〜図５等に示すように、軸部２ａの軸心ｍから異なる放射方向に３本の板状の腕２０をスター状に延ばし、その腕２０の先端部にあって軸心ｍから等距離隔てた位置に小径テープ取付部２１を形成するとともに、その小径テープ取付部２１の一部を利用して大径テープ取付部２２を構成したものである。
【００３０】
小径テープ取付部２１は、円筒の一部を凹ませた異形筒状をなし、腕２０の先端部から軸心ｍに平行な方向に突出して設けられたもので、その外周に図６に示すように小径テープＹａ、Ｙｂ，Ｙｃを滑動可能に、かつ相互に干渉することなく同時に取り付け可能としたものである。そして、何れの小径テープＹａ、Ｙｂ，Ｙｃを選択してもその繰り出し部ｙ１を外方に引き出し得るように構成している。リール２の軸心ｍは側壁１ａの上端近傍かつ凹部１ｃに近い位置に設けてあり、少なくともある回転位置において２つの小径テープ取付部２１がカッター本体１の上方空間ないしテープ引出し側の空間に一部突出した状態となり得るようにしてある。この際、図４等に示すように、板状の腕２０の先端部２０ａは筒状をなす小径テープ取付部２１よりも僅かに放射方向にはみ出した状態にあり、図６に示すように小径テープ取付部２１に小径テープＹａ、Ｙｂ，Ｙｃを取り付けた状態で、当該小径テープＹａ、Ｙｂ，Ｙｃの一部が腕２０の先端部２０ａよりも放射方向に突出した状態となるようにしている。その際、図４に示すそのはみ出し部分２０ｘは、腕２０の基端側の部位２０ｙ等とともに小径テープＹａ、Ｙｂ，Ｙｃの軸心ｍ方向の位置ずれを規制する役割を果たすようになっている。また、腕２０の幅ｗは小径テープ取付部２１の短寸な外形寸法ｄに近似させてあり、図６に示すように隣接する腕２０と腕２０の間から軸心ｍに平行な方向に小径テープＹａ、Ｙｂ，Ｙｃの側面の一部が表出した状態となるようにしている。
【００３１】
また、大径テープ取付部２２としては、前述のように小径テープ取付部２１のうちのリール外周側、すなわち小径テープ取付部２１を包絡する円（図５における符合ｔ参照）と接触する部位がこれに該当するもので、３本の腕２０の先端部２０ａ側に位置するそれぞれの大径テープ取付部２２が協働して図７に示すように大径テープＸの内側を滑動可能に支持するようにしている。この際、厳密には図４等に基づいて前述したように、板状の腕２０の先端部２０ａは筒状をなす小径テープ取付部２１よりも僅かに径方向にはみ出した状態にあり、大径テープ取付部２２に大径テープＸを取り付けた状態で、そのはみ出し部分２０ｘが大径テープＸの軸心ｍ方向の位置ずれを規制する役割を果たすようになっている。
【００３２】
リール２の具体的構造は、対をなすリール構成体１０２同士を図２→図５のように突き合わせて接合することにより構成され、リール構成体１０２には小径テープ取付部２１となる部位に突出部１２１を形成しており、一方のリール構成体１０２を反転させて他方のリール構成体１０２に突き合わせた際に、対応する突出部１２１，１２１同士の間に嵌合状態を得るように構成している。すなわち、小径テープ取付部２１となる筒状の突出部１２１には、半円部分の内周を抉って薄肉にした外側嵌合部１２１ａと、残りの半円部分からその抉った部分に対応する部分円弧状の薄板片を突出させてなる内側嵌合部１２１ｂとが設けてあり、反転して突き合わせた際に各々の外側嵌合部１２１ａが相手方の内側嵌合部１２１ｂの外側に嵌合するように構成している。突出部１２１，１２１同士の嵌合は１２０°づつ位相を変えても全く同じように行い得る。大径テープ取付部２２は、小径テープ取付部２１が形成されることによって自ずと大径テープＸの等角３箇所を支持する位置に形成される。
【００３３】
このような構成において、両リール構成体１０２、１０２同士を突き合わせて接合する際に、図６に示すように小径テープ取付部２１に小径テープＹａ、Ｙｂ，Ｙｃの孔を挿し通し、あるいは図７に示すように大径テープ取付部２２に大径テープＸの孔を外接させて、リール構成体１０２の腕２０の一部（図４における２０ｘや２０ｙ）によって当該小径テープＹａ、Ｙｂ，Ｙｃ又は大径テープＸの軸心ｍ方向の位置ずれを規制した状態で閉じ込めるようにしている。そして、小径テープ取付部２１及び大径テープ取付部２２により、小径テープＹａ、Ｙｂ，Ｙｃ又は大径テープＸを滑動可能に支持するようにしている。
【００３４】
このように本実施形態のテープカッターは、リール２の軸心ｍから異なる放射方向へ等距離隔てた位置に複数の小径テープ取付部２１を設け、各々の小径テープ取付部２１に図６に示すように小径テープＹａ、Ｙｂ，Ｙｃを滑動し得る状態で相互に干渉することなく同時に取り付け可能として、何れの小径テープＹａ、Ｙｂ，Ｙｃを選択してもその繰り出し部ｙ１を外方に引き出し得るように個別使用可能とし、同時に、それら複数の小径テープ取付部２１のうちリール外周側に位置する部位を大径テープ取付部２２とし、小径テープＹａ、Ｙｂ，Ｙｃを取り付けていない状態でその大径テープ取付部２２に図７に示すように大径テープＸを取り付けて使用可能としたものである。
【００３５】
このため、大径テープＸと小径テープＹａ、Ｙｂ，Ｙｃを併用することができ、小径テープＹａ、Ｙｂ，Ｙｃも複数種類を取り付けて選択利用、或いは予備として同一種類のものをストックしておくことができ、多様な利用の態様を実現することが可能となる。また、このようにしても、大径テープＸ、小径テープＹａ、Ｙｂ，Ｙｃともにほぼ同位置よりテープが繰り出されるので、テープを引き出す際や切り取る際の角度に大きな変化が生じることがなく、一定の操作感を保って使用できる使い勝手に優れたものとなり得る。
【００３６】
その際、小径テープ取付部２１が筒状ないし異形筒状をなし、その小径テープ取付部２１を包絡する円と接触する部位が大径テープ取付部２２として機能するようにしているので、小径テープＹａ、Ｙｂ，Ｙｃの内周をその筒状の小径テープ取付部２１によって確実に支持することができると同時に、その小径テープ取付部２１をそのまま利用して大径テープ取付部２２を有効に構成することができる。
【００３７】
また、カッター本体１のリール装填部１１にリール２を取り付けた状態で、少なくともある回転位置において図６に示すように２つの小径テープ取付部２１がカッター本体１１の上方空間ないしテープ引出し側の空間に一部突出した状態となり得るように構成しているため、使用する小径テープＹａ、Ｙｂ，Ｙｃを切り替えるときなどに、繰り出している小径テープ（例えばＹａ）を巻き取り、新たに小径テープ（例えばＹｂやＹｃ）を繰り出す作業を、その時々でテープ繰出状態にはない小径テープ取付部２１を把持して容易に行うことができ、作業性も有効に向上させることができる。しかも、２つの小径テープ取付部２１に取り付けた小径テープＹａ、Ｙｂ，Ｙｃが上記のように露出する形態は、斬新な機能美的外観を呈し、それにも拘わらず利用の仕方は一目瞭然であって使用に戸惑うこともない。
【００３８】
そのリール２は、軸心ｍから放射方向に複数の腕２０を延ばし、その腕２０の先端部に小径テープ取付部２１を形成したものであり、小径テープＹａ、Ｙｂ，Ｙｃを取り付けた状態で図６に示すように隣接する腕２０と腕２０の間から軸心ｍに平行な方向に沿って小径テープの側面の一部が表出した状態になるようにしており、またそれら小径テープＹａ、Ｙｂ，Ｙｃの一部が腕２０の先端部２０ａよりも放射方向に大きく突出した状態となるようにしているので、特に図１や図６の方向から見た場合等に、テープカッターとしての形態がより一層特徴的なものになり、取り付けた多数の小径テープＹａ、Ｙｂ，Ｙｃの色や紙質、種類、残量等も容易に確認することができる。
【００３９】
具体的構造としては、リール２が、対をなすリール構成体１０２同士を突き合わせて接合することにより構成され、その突き合わせの際に小径テープ取付部２１又は大径テープ取付部２２の何れかに小径テープＹａ、Ｙｂ，Ｙｃ又は大径テープＸを、リール構成体１０２の一部（つまり図４における２０ｘや２０ｙ）により当該小径テープＹａ、Ｙｂ，Ｙｃ又は大径テープＸの軸心ｍ方向の位置ずれを規制した状態で閉じ込めるようにしている。このため、リール構成体１０２を半割にした状態で小径テープＹａ、Ｙｂ，Ｙｃや大径テープＸの着脱が簡単に行える上に、小径テープＹａ、Ｙｂ，Ｙｃはもとより大径テープＸについても、適度な滑動状態を保ちつつ軸心ｍ方向への位置ずれを防止するので、簡単な作業で小径テープＹａ、Ｙｂ，Ｙｃ及び大径テープＸの円滑な滑動状態と確実な保持状態を両立させることができる。
【００４０】
また、図２に示すように一対のリール構成体１０２の小径テープ取付部２１となる部位に同一構造の突出部１２１を形成し、一方のリール構成体１０２を反転させて他方のリール構成体１０２に突き合わせた際に何れの突出部１２１，１２１間においても嵌合状態を得るように構成しているため、突出部１２１さえ合致させれば特にリール構成体１０２，１０２同士の突き合わせ位相は問題にならず、突き合わせ作業も行い易いものとなる。
【００４１】
具体的には、各々の突出部１２１に外側嵌合部１２１ａおよび内側嵌合部１２１ｂを形成し、反転して突き合わせた際に各々の内側嵌合部１２１ａが相手方の外側嵌合部１２１ｂの内側に嵌合するように構成しているので、反転して嵌り合う凹凸関係を適切に形成することができる。
【００４２】
なお、各部の具体的な構成は、上述した実施形態のみに限定されるものではない。
【００４３】
例えば、図１と同様にカッター本体のリール装填部となる凹所に軸部を回転可能に支持させて使用される既往のテープカッターがある場合、そのテープカッターのリールに替えて上記のリール２を使用するようにすれば、リール２の交換のみで本発明のテープカッターを簡単に構成することができる。
【００４４】
また、図８に示すように、カッター本体１ｋが軸心ｍと直交する方向に沿ってリール装填部１１ｋの両側に一対のカッター刃１２ｋを備え、２つの小径テープ取付部２１ｋに取り付けた小径テープ（例えばＹａ、Ｙｂ）を背向する方向に同時に引き出し得るようにしてもよい。このようにすると、単に複数のテープを同時に取り付けて選択使用可能とするのみならず、単一のリール２ｋを用いながら常に２つのテープが併用可能となるので、２台のテープカッターの機能を容易に発揮させることができる。
【００４５】
さらに、上記の偏心構造はテープカッター以外の用途にも有効である。例えば、印刷分野や紡績分野等で、シートや糸をロールに巻いて引き出したい場合があり、その際に小径ロールと大径ロールを併用する必要があるときには、図９に示すように、リール装填部に単一のリール２ｈを軸心ｍ回りに回転可能に取り付けてロール保持機構を構成するようにする。そのリール２ｈは、軸心ｍから異なる放射方向へ等距離隔てた位置に複数の小径ロール取付部２１ｈを有し、各々の小径ロール取付部２１ｈに小径ロールｒ１、ｒ２、ｒ３を滑動し得る状態で相互に干渉することなく同時に取り付けて、小径ロールｒ１、ｒ２、ｒ３の何れからもその繰り出し部ｒ０を外方に引き出せるように構成するとともに、それら複数の小径ロール取付部２１ｈのロール外周側に位置する部位を大径ロール取付部２２ｈとし、小径ロールｒ１、ｒ２、ｒ３を取り付けていない状態でその大径ロール取付部２２ｈに大径ロールＲを取り付け得るように構成しておく。
【００４６】
このようにすると、単一のリール２ｈに小径ロールｒ１、ｒ２、ｒ３や大径ロールＲを取り付けて併用することができ、小径ロールｒ１、ｒ２、ｒ３にも同一種類若しくは複数種類のものを取り付けて選択利用することが可能となる。また、大径ロールＲ、小径ロールｒ１、ｒ２、ｒ３ともにほぼ同位置よりロールが繰り出されるので使い勝手が向上する点も上記実施形態と同様である。
【００４７】
勿論、図示のようにリール２ｈを、軸心から異なる放射方向へ等距離隔てた位置に設けた複数の小径ロール取付部２１ｈと、それら複数の小径ロール取付部２１ｈのロール外周側に構成される大径ロール取付部２２ｈとを備えたものとし、各々の小径ロール取付部２１ｈに小径ロールをｒ１、ｒ２、ｒ３滑動し得る状態で相互に干渉することなく同時に取り付けた際に小径ロールｒ１、ｒ２、ｒ３の何れからも繰り出し部ｒ０を外方に引き出せるようにするとともに、小径ロールｒ１、ｒ２、ｒ３を取り付けていない状態でその大径ロール取付部２２ｈに大径ロールＲを取り付け得るようにしておけば、このリール２ｈを既存のロール保持機構のリールと交換するだけで本発明のロール保持機構を簡単に構成することができる。
【００４８】
その他の構成も、本発明の趣旨を逸脱しない範囲で種々変形が可能である。
【図面の簡単な説明】
【００４９】
【図１】本発明の一実施形態に係るテープカッターの斜視図。
【図２】同テープカッターを構成するリールの分解斜視図。
【図３】同リールの内側面図。
【図４】同リールの組立図。
【図５】同実施形態に係るテープカッターの一部破断した側面図。
【図６】同テープカッターの小径テープ使用時の作用説明図。
【図７】同テープカッターの大径テープ使用時の作用説明図。
【図８】同実施形態の変形例を示す図。
【図９】本発明の他の構成を示す概念図。
【符号の説明】
【００５０】
１…カッター本体
２、２ｈ…リール
１１…リール装填部
２０…腕
２１、２１ｈ…小径テープ取付部
２２，２２ｈ…大径テープ取付部
１０２…リール構成体
１２１、１２２…突出部
１２１ａ、１２２ａ…外側嵌合部
１２１ｂ、１２２ｂ…内側嵌合部
ｍ…軸心
Ｒ…大径テープ
Ｙ１、Ｙ２，Ｙ３、ｒ１、ｒ２，ｒ３…小径テープ
【図１】
2008081221.tif 000003
【図２】
2008081221.tif 000004
【図３】
2008081221.tif 000005
【図４】
2008081221.tif 000006
【図５】
2008081221.tif 000007
【図６】
2008081221.tif 000008
【図７】
2008081221.tif 000009
【図８】
2008081221.tif 000010
【図９】
2008081221.tif 000011